(57)【特許請求の範囲】
【請求項１】
ウェブページのローディング終了イベントに応答して現在のウェブページに関する現在のウェブページの末尾におけるスクロールバーの数値、現在のウェブページの先頭におけるスクロールバーの数値および現在のウェブページのローディング終了時刻を記録することを含むスクロールバーパラメータ取得ステップと、
スクロールバーのスクロールイベントに応答してスクロールバーに関する今回のスクロールバーのトリガ時刻および今回のスクロールバーの数値を記録し、スクロールバー判断ステップを実行することを含むスクロールバースクロールトリガステップと、
少なくとも１つの前記今回のスクロールバーの数値、少なくとも１つの今回のスクロールバーのトリガ時刻、現在のウェブページの先頭におけるスクロールバーの数値、および現在のウェブページのローディング終了時刻に基づいてウェブページの閲覧速度を計算し、前記ウェブページの閲覧速度、現在のウェブページの末尾におけるスクロールバーの数値および現在のウェブページの先頭におけるスクロールバーの数値に基づいてウェブページの残りの閲覧時間を計算し、前記ウェブページの残りの閲覧時間が予め設定された条件を満たしている場合には、ウェブページローディングステップをトリガすることを含むスクロールバー判断ステップと、
現在のウェブページの後続ウェブページを照会し、後続ウェブページに関するウェブページ取得要求をサーバに送信し、サーバから返信された後続ウェブページに関するウェブページデータを現在のウェブページの末尾にローディングして更新することを含むウェブページローディングステップと、を含むことを特徴とする、
ウェブページのローディング方法。
【請求項２】
前記ウェブページの閲覧速度の計算式は下記のとおりであり、
【数８】
0006430020.tif 000009
式中、Ｖｒはウェブページの閲覧速度であり、ｋは今回のスクロールバーの数値であり、ｋｓは現在のウェブページの先頭におけるスクロールバーの数値であり、ｔは今回のスクロールバーのトリガ時刻であり、ｔｓは現在のウェブページのローディング終了時刻であることを特徴とする、
請求項１に記載のウェブページのローディング方法。
【請求項３】
前記スクロールバースクロールトリガステップが少なくとも１回トリガされ、トリガされるたびに、今回のスクロールバーのトリガ時刻と今回のスクロールバーの数値を１回記録し、前記ウェブページの閲覧速度の計算式は下記のとおりであり、
【数９】
0006430020.tif 000010
式中、Ｖｒはウェブページの閲覧速度であり、ｋｉはｉ回目の今回のスクロールバーの数値であり、ｋｓは現在のウェブページの先頭におけるスクロールバーの数値であり、ｔｉはｉ回目の今回のスクロールバーのトリガ時刻であり、ｔｓは現在のウェブページのローディング終了時刻であり、ｎはスクロールバースクロールトリガステップの合計トリガ回数であることを特徴とする、
請求項１に記載のウェブページのローディング方法。
【請求項４】
前記ウェブページの残りの閲覧時間の計算式は下記のとおりであり、
【数１０】
0006430020.tif 000011
式中、ｔｆはウェブページの残りの閲覧時間であり、Ｖｒはウェブページの閲覧速度であり、ｋは今回のスクロールバーの数値であり、ｋｅは現在のウェブページの末尾におけるスクロールバーの数値であることを特徴とする、
請求項１に記載のウェブページのローディング方法。
【請求項５】
前記スクロールバーパラメータ取得ステップはさらに、現在のウェブページに関する現在のウェブページのローディングにかかった時間を記録することを含み、
前記予め設定された条件は、ウェブページの残りの閲覧時間が前記現在のウェブページのローディングにかかった時間以下であることを特徴とする、
請求項１に記載のウェブページのローディング方法。
【請求項６】
ウェブページのローディング終了イベントに応答して現在のウェブページに関する現在のウェブページの末尾におけるスクロールバーの数値、現在のウェブページの先頭におけるスクロールバーの数値および現在のウェブページのローディング終了時刻を記録することを含むスクロールバーパラメータ取得モジュールと、
スクロールバーのスクロールイベントに応答してスクロールバーに関する今回のスクロールバーのトリガ時刻および今回のスクロールバーの数値を記録し、スクロールバー判断モジュールを実行することを含むスクロールバースクロールトリガモジュールと、
少なくとも１つの前記今回のスクロールバーの数値、少なくとも１つの今回のスクロールバーのトリガ時刻、現在のウェブページの先頭におけるスクロールバーの数値、および現在のウェブページのローディング終了時刻に基づいてウェブページの閲覧速度を計算し、前記ウェブページの閲覧速度、現在のウェブページの末尾におけるスクロールバーの数値および現在のウェブページの先頭におけるスクロールバーの数値に基づいてウェブページの残りの閲覧時間を計算し、前記ウェブページの残りの閲覧時間が予め設定された条件を満たしている場合には、ウェブページローディングモジュールをトリガすることを含むスクロールバー判断モジュールと、
現在のウェブページの後続ウェブページを照会し、後続ウェブページに関するウェブページ取得要求をサーバに送信し、サーバから返信された後続ウェブページに関するウェブページデータを現在のウェブページの末尾にローディングして更新することを含むウェブページローディングモジュールと、を含むことを特徴とする、
ウェブページのローディングシステム。
【請求項７】
前記ウェブページの閲覧速度の計算式は下記のとおりであり、
【数１１】
0006430020.tif 000012
式中、Ｖｒはウェブページの閲覧速度であり、ｋは今回のスクロールバーの数値であり、ｋｓは現在のウェブページの先頭におけるスクロールバーの数値であり、ｔは今回のスクロールバーのトリガ時刻であり、ｔｓは現在のウェブページのローディング終了時刻であることを特徴とする、
請求項６に記載のウェブページのローディングシステム。
【請求項８】
前記スクロールバースクロールトリガモジュールが少なくとも１回トリガされ、トリガされるたびに、今回のスクロールバーのトリガ時刻と今回のスクロールバーの数値を１回記録し、前記ウェブページの閲覧速度の計算式は下記のとおりであり、
【数１２】
0006430020.tif 000013
式中、Ｖｒはウェブページの閲覧速度であり、ｋｉはｉ回目の今回のスクロールバーの数値であり、ｋｓは現在のウェブページの先頭におけるスクロールバーの数値であり、ｔｉはｉ回目の今回のスクロールバーのトリガ時刻であり、ｔｓは現在のウェブページのローディング終了時刻であり、ｎはスクロールバースクロールトリガモジュールの合計トリガ回数であることを特徴とする、
請求項６に記載のウェブページのローディングシステム。
【請求項９】
前記ウェブページの残りの閲覧時間の計算式は下記のとおりであり、
【数１３】
0006430020.tif 000014
式中、ｔｆはウェブページの残りの閲覧時間であり、Ｖｒはウェブページの閲覧速度であり、ｋは今回のスクロールバーの数値であり、ｋｅは現在のウェブページの末尾におけるスクロールバーの数値であることを特徴とする、
請求項６に記載のウェブページのローディングシステム。
【請求項１０】
前記スクロールバーパラメータ取得モジュールはさらに、現在のウェブページに関する現在のウェブページのローディングにかかった時間を記録することを含み、
前記予め設定された条件は、ウェブページの残りの閲覧時間が前記現在のウェブページのローディングにかかった時間以下であることを特徴とする、
請求項６に記載のウェブページのローディングシステム。
【発明の詳細な説明】
【技術分野】
【０００１】
本発明は、ウェブページの関連技術分野に係わり、とりわけ、ウェブページのローディング方法およびシステムに係わる。
【背景技術】
【０００２】
ユーザがウェブページを閲覧する際に、現在のウェブページに対する閲覧が終わると、ユーザによって次ページのハイパーリンクをクリックしなければ次のウェブページを取得することができず、ユーザにとって不便である。
【０００３】
そのため、従来技術において、ユーザの閲覧状況を監視することにより、ウェブページの末尾まで閲覧した時、例えばJavaScript（登録商標）のようなウェブページプログラムをトリガし、その後、現在のウェブページの末尾に後続ウェブページの内容を表示するとともに、ユーザが後続の内容を継続して閲覧できるように、スクロールバーを更新する。
【０００４】
しかし、従来技術では、ユーザがウェブページの末尾まで閲覧した時、ウェブページのローディングを待たなければならず、そのためウェブページをスムーズに閲覧することができない。
【発明の概要】
【発明が解決しようとする課題】
【０００５】
そのため、ユーザがウェブページの末尾まで閲覧した時、ウェブページのローディングを待たなければならず、そのためウェブページをスムーズに閲覧することができないという従来技術の技術的課題に対し、ウェブページのローディング方法およびシステムを提供することが求められている。
【課題を解決するための手段】
【０００６】
ウェブページのローディング方法は、ウェブページのローディング終了イベントに応答して現在のウェブページに関する現在のウェブページの末尾におけるスクロールバーの数値、現在のウェブページの先頭におけるスクロールバーの数値および現在のウェブページのローディング終了時刻を記録することを含むスクロールバーパラメータ取得ステップと、
スクロールバーのスクロールイベントに応答してスクロールバーに関する今回のスクロールバーのトリガ時刻および今回のスクロールバーの数値を記録し、スクロールバー判断ステップを実行することを含むスクロールバースクロールトリガステップと、
少なくとも１つの前記今回のスクロールバーの数値、少なくとも１つの今回のスクロールバーのトリガ時刻、現在のウェブページの先頭におけるスクロールバーの数値、および現在のウェブページのローディング終了時刻に基づいてウェブページの閲覧速度を計算し、前記ウェブページの閲覧速度、現在のウェブページの末尾におけるスクロールバーの数値および現在のウェブページの先頭におけるスクロールバーの数値に基づいてウェブページの残りの閲覧時間を計算し、前記ウェブページの残りの閲覧時間が予め設定された条件を満たしている場合には、ウェブページのローディングステップをトリガすることを含むスクロールバー判断ステップと、
現在のウェブページの後続ウェブページを照会し、後続ウェブページに関するウェブページ取得要求をサーバに送信し、サーバから返信された後続ウェブページに関するウェブページデータを現在のウェブページの末尾にローディングして更新することを含むウェブページローディングステップと、を含む。
【０００７】
ウェブページのローディングシステムは、ウェブページのローディング終了イベントに応答して現在のウェブページに関する現在のウェブページの末尾におけるスクロールバーの数値、現在のウェブページの先頭におけるスクロールバーの数値および現在のウェブページのローディング終了時刻を記録することを含むスクロールバーパラメータ取得モジュールと、
スクロールバーのスクロールイベントに応答してスクロールバーに関する今回のスクロールバーのトリガ時刻および今回のスクロールバーの数値を記録し、スクロールバー判断モジュールを実行することを含むスクロールバースクロールトリガモジュールと、
少なくとも１つの前記今回のスクロールバーの数値、少なくとも１つの今回のスクロールバーのトリガ時刻、現在のウェブページの先頭におけるスクロールバーの数値、および現在のウェブページのローディング終了時刻に基づいてウェブページの閲覧速度を計算し、前記ウェブページの閲覧速度、現在のウェブページの末尾におけるスクロールバーの数値および現在のウェブページの先頭におけるスクロールバーの数値に基づいてウェブページの残りの閲覧時間を計算し、前記ウェブページの残りの閲覧時間が予め設定された条件を満たしている場合には、ウェブページのローディングモジュールをトリガすることを含むスクロールバー判断モジュールと、
現在のウェブページの後続ウェブページを照会し、後続ウェブページに関するウェブページ取得要求をサーバに送信し、サーバから返信された後続ウェブページに関するウェブページデータを現在のウェブページの末尾にローディングして更新することを含むウェブページローディングモジュールと、を含む。
【０００８】
本発明では、ウェブページの残りの閲覧時間を予測することによって後続ウェブページのローディングが必要か否かを判断する。ウェブページが末尾に達してようやくローディングが行われるのを待つ必要がないため、ユーザがウェブページを閲覧するとき、例えばウィーチャット、ウェイボーのような縦に閲覧するウェブページの場合に、ウェブページのローディングを待つことなく後続の内容を連続して閲覧することが可能となり、ユーザの体験度を高める。
【図面の簡単な説明】
【０００９】
【図１】本発明のウェブページのローディング方法に係わるフローチャート図である。
【図２】本発明の最適な実施例に係わるフローチャート図である。
【図３】本発明のウェブページのローディングシステムに係わる構造モジュール図である。
【発明を実施するための形態】
【００１０】
以下において図面および具体的な実施例を参照しながら本発明をより詳しく説明する。
【００１１】
図１に示す本発明のウェブページのローディング方法に係わるフローチャート図において、
ウェブページのローディング終了イベントに応答して現在のウェブページに関する現在のウェブページの末尾におけるスクロールバーの数値、現在のウェブページの先頭におけるスクロールバーの数値および現在のウェブページのローディング終了時刻を記録することを含むステップＳ１０１と、
スクロールバーのスクロールイベントに応答してスクロールバーに関する今回のスクロールバーのトリガ時刻および今回のスクロールバーの数値を記録し、ステップＳ１０３を実行することを含むステップＳ１０２と、
少なくとも１つの前記今回のスクロールバーの数値、少なくとも１つの今回のスクロールバーのトリガ時刻、現在のウェブページの先頭におけるスクロールバーの数値、および現在のウェブページのローディング終了時刻に基づいてウェブページの閲覧速度を計算し、前記ウェブページの閲覧速度、現在のウェブページの末尾におけるスクロールバーの数値および現在のウェブページの先頭におけるスクロールバーの数値に基づいてウェブページの残りの閲覧時間を計算し、前記ウェブページの残りの閲覧時間が予め設定された条件を満たしている場合には、ステップＳ１０４をトリガすることを含むステップＳ１０３と、
現在のウェブページの後続ウェブページを照会し、後続ウェブページに関するウェブページ取得要求をサーバに送信し、サーバから返信された後続ウェブページに関するウェブページデータを現在のウェブページの末尾にローディングして更新することを含むステップＳ１０４と、を含む。
【００１２】
スクロールバーがスクロールする際に、ウェブページまたはスクリーンにおける該スクロールバーの位置座標を示すスクロールバーの数値が表示される。ステップＳ１０１において、現在のウェブページの末尾におけるスクロールバーの数値とは、現在のウェブページが最下方にスクロールした際のウェブページまたはスクリーンにおけるスクロールバーの位置座標をいい、現在のウェブページの先頭におけるスクロールバーの数値とは、現在のウェブページが最上方にスクロールした際のウェブページまたはスクリーンにおけるスクロールバーの位置座標をいう。ウェブページ上のスクリプト言語は、ウェブページローディングイベントの実行開始からウェブページのローディングが終了するまで一定の時間がかかる。現在のウェブページのローディング終了時刻とは、現在のウェブページのローディングが終了する時刻をいう。
【００１３】
ステップＳ１０２において、スクロールバースクロールイベントがスクロールバーに対するドラッグによってトリガされる。コンピュータのユーザの場合は、マウスによってスクロールバーをドラッグし、またはマウスのローラによってスクロールバーをスクロールさせることによりスクロールバーのスクロールイベントを発生させてステップＳ１０２をトリガする。携帯電話のユーザの場合は、キーボードによってウェブページをドラッグし、またはタッチパネルを用いるユーザの場合は、タッチ操作によりスクロールバーまたはウェブページをドラッグすることによりスクロールバーのスクロールイベントを発生させてステップＳ１０２をトリガする。今回のスクロールバーのトリガ時刻とは、ステップＳ１０２がトリガされるときの時刻をいい、今回のスクロールバーの数値とは、ステップＳ１０２がトリガされる際のスクロールバーのスクロールバー数値であって、即ちステップＳ１０２がトリガされる際のウェブページまたはスクリーンにおけるスクロールバーの位置座標をいう。ステップＳ１０２が複数回トリガされる場合があり、各回のトリガはいずれもスクロールバーの今回のスクロールバートリガ時刻および今回のスクロールバーの数値に係わるものであり、それにより、複数の今回のスクロールバーのトリガ時刻および今回のスクロールバーの数値を得る。
【００１４】
ステップＳ１０３において、今回のスクロールバーの数値、今回のスクロールバーのトリガ時刻、現在のウェブページの先頭におけるスクロールバーの数値および現在のウェブページのローディング終了時刻に基づいて計算し、ウェブページの閲覧速度を得る。該ウェブページの閲覧速度に基づいてウェブページの残りの閲覧時間を予測し、ウェブページの残りの閲覧時間が予め設定された条件を満たしている場合には、ステップＳ１０４をトリガしてウェブページに対するローディングを行う。該予め設定された条件は予め設定された閾値であってもよく、即ち、ウェブページの残りの閲覧時間が予め設定された閾値よりも少ない場合には、ステップＳ１０４をトリガする。
【００１５】
本発明では、ウェブページの残りの閲覧時間を予測することにより、前もって後続ウェブページのローディングを行う。これによってユーザがウェブページのローディングを待つことなく後続の内容を連続して閲覧することが可能となり、ユーザの体験度を高める。
【００１６】
本発明は、携帯電話またはその他の移動装置にて用いることが好ましく、とりわけ、携帯電話または移動装置が低速ネットワークを利用してウェブページにアクセスする場合に使用するのが好ましい。汎用パケット無線サービス（General Packet Radio Service, GPRS）のような低速ネットワークは、ネットワークの速度が比較的遅く、そのため、従来の技術を採用すると、ユーザが後続ページをローディングするのに長い時間待つ必要があり、速やかかつスムーズに閲覧することができない。
【００１７】
一実施例において、前記ウェブページの閲覧速度の計算式は下記のとおりである。
【数１】
0006430020.tif 000002
式中、Ｖｒはウェブページの閲覧速度であり、ｋは今回のスクロールバーの数値であり、ｋｓは現在のウェブページの先頭におけるスクロールバーの数値であり、ｔは今回のスクロールバーのトリガ時刻であり、ｔｓは現在のウェブページのローディング終了時刻である。
【００１８】
ステップＳ１０２がトリガされると、今回のスクロールバーの数値と現在のウェブページの先頭におけるスクロールバーの数値との差を計算してスクロールバーのスクロール距離を確定する。さらに、今回のスクロールバーのトリガ時刻と現在のウェブページのローディング終了時刻との差を計算してスクロールバーのスクロール開始から現在の距離だけスクロールするまでの所要時間を確定する。スクロール距離と時間の比をウェブページの閲覧速度とする。
【００１９】
一実施例において、前記ステップＳ１０２が少なくとも１回トリガされる。トリガされるたびに、今回のスクロールバーのトリガ時刻と今回のスクロールバーの数値を１回記録する。前記ウェブページの閲覧速度の計算式は下記のとおりである。
【数２】
0006430020.tif 000003
式中、Ｖｒはウェブページの閲覧速度であり、ｋｉはｉ回目の今回のスクロールバーの数値であり、ｋｓは現在のウェブページの先頭におけるスクロールバーの数値であり、ｔｉはｉ回目の今回のスクロールバーのトリガ時刻であり、ｔｓは現在のウェブページのローディング終了時刻であり、ｎはステップＳ１０２の合計トリガ回数である。
【００２０】
ユーザがウェブページを閲覧するときに複数回スクロールバーをドラッグすると、ステップＳ１０２が複数回トリガされる。本実施例において、トリガされるたびに計算される閲覧速度の平均値をウェブページの閲覧速度としており、それにより、該ウェブページの閲覧速度が実際の速度に、より合致している。
【００２１】
一実施例において、前記ウェブページの残りの閲覧時間の計算式は下記のとおりである。
【数３】
0006430020.tif 000004
式中、ｔｆはウェブページの残りの閲覧時間であり、Ｖｒはウェブページの閲覧速度であり、ｋは今回のスクロールバーの数値であり、ｋｅは現在のウェブページの末尾におけるスクロールバーの数値である。
【００２２】
本実施例において、現在のウェブページの末尾におけるスクロールバーの数値ｋｅと今回のスクロールバーの数値ｋとの差を残りの距離とし、前記残りの距離をウェブページの閲覧速度で割ってウェブページの残りの閲覧時間ｔｆを得る。
【００２３】
一実施例において、前記ステップＳ１０１はさらに、現在のウェブページに関する現在のウェブページのローディングにかかった時間を記録することを含む。
前記予め設定された条件は、ウェブページの残りの閲覧時間が前記現在のウェブページのローディングにかかった時間以下である。
【００２４】
本実施例では、現在のウェブページのローディングにかかった時間により後続ウェブページのローディングにかかる時間を予測する。ユーザがウェブページを閲覧する際に、ステップＳ１０１〜ステップＳ１０３に基づいてユーザの操作行動を計算してユーザの閲覧速度を分析し、その後、現在のウェブページのローディングにかかった時間と比較して後続ウェブページのローディング操作を前もってトリガする。本実施例では、ウェブページのローディングにかかった時間を予め設定された条件として採用しており、ウェブページの最末尾に達してようやくウェブページのローディング操作をトリガする従来の技術に比べて、ユーザの閲覧習性をより正確に把握することができる。また、該条件は時間の比較であるため、スクリーンのサイズやウェブページの長さに制限されず、ローディングのタイミングがより正確になる。
【００２５】
図２に示す本発明の最適な実施例に係わるフローチャート図において、
ユーザがウェブページを閲覧しかつウェブページのローディングが終了した場合には、
毎回ウェブページをローディングした後に、現在のウェブページの開始位置（スクロールバーの数値）である現在のウェブページの先頭におけるスクロールバーの数値を記録し、このページの末尾におけるスクロールバーの数値、このページの先頭におけるスクロールバーの数値、このページのローディングにかかった時間、このページのローディング終了時刻を記録するステップＳ２０１と、
各回のスクロールイベントのトリガに基づいて閲覧速度および効率を分析し、ユーザがスクロールバーをクリックまたはウェブページをスライドさせることによりスクロールバーのスクロールイベントをトリガするたびに、今回のスクロールバーのトリガ時間および今回のスクロールバーの数値を記録するステップＳ２０２と、を含む。
【００２６】
下記の式に従って計算する。
【数４】
0006430020.tif 000005
式中、Ｖｒはウェブページの閲覧速度であり、ｋｉはｉ回目の今回のスクロールバーの数値であり、ｋｓはこのページの先頭におけるスクロールバーの数値であり、ｔｉはｉ回目の今回のスクロールバーのトリガ時刻であり、ｔｓはこのページのローディング終了時刻であり、ｎはステップＳ２０２の合計トリガ回数である。
【００２７】
ウェブページの閲覧時間＝（このページの末尾におけるスクロールバーの数値−このページの先頭におけるスクロールバーの数値）×閲覧速度
【００２８】
ウェブページの残りの閲覧時間の計算：残りの閲覧時間＝（このページの末尾におけるスクロールバーの数値−今回のスクロールバーの数値）／閲覧速度
【００２９】
（残りの閲覧時間≦このページのローディング時間）が成立すると、ステップＳ２０３をトリガして後続ウェブページの内容をローディングする。
【００３０】
後続ウェブページをローディングするステップＳ２０３において、
このページが表示する最終行のデータ番号を照会して追跡し、JavaScriptスクリプトによりＷＥＢサーバに要求し、各ページの表示行数の設定に応じて後続データを照会するとともに、JavaScriptスクリプトによってデータを現在のウェブページの末尾にローディングして更新する。その後、ステップＳ２０１を繰り返して行う。
【００３１】
図３に示す本発明のウェブページのローディングシステムに係わる構造モジュール図において、
ウェブページのローディング終了イベントに応答して現在のウェブページに関する現在のウェブページの末尾におけるスクロールバーの数値、現在のウェブページの先頭におけるスクロールバーの数値および現在のウェブページのローディング終了時刻を記録することを含むスクロールバーパラメータ取得モジュール３０１と、
スクロールバーのスクロールイベントに応答してスクロールバーに関する今回のスクロールバーのトリガ時刻および今回のスクロールバーの数値を記録し、スクロールバー判断モジュール３０３を実行することを含むスクロールバースクロールトリガモジュール３０２と、
少なくとも１つの前記今回のスクロールバーの数値、少なくとも１つの今回のスクロールバーのトリガ時刻、現在のウェブページの先頭におけるスクロールバーの数値、および現在のウェブページのローディング終了時刻に基づいてウェブページの閲覧速度を計算し、前記ウェブページの閲覧速度、現在のウェブページの末尾におけるスクロールバーの数値および現在のウェブページの先頭におけるスクロールバーの数値に基づいてウェブページの残りの閲覧時間を計算し、前記ウェブページの残りの閲覧時間が予め設定された条件を満たしている場合には、ウェブページのローディングモジュール３０４をトリガすることを含むスクロールバー判断モジュール３０３と、
現在のウェブページの後続ウェブページを照会し、後続ウェブページに関するウェブページ取得要求をサーバに送信し、サーバから返信された後続ウェブページに関するウェブページデータを現在のウェブページの末尾にローディングして更新することを含むウェブページローディングモジュール３０４と、を含む。
【００３２】
一実施例において、前記ウェブページの閲覧速度の計算式は下記のとおりである。
【数５】
0006430020.tif 000006
式中、Ｖｒはウェブページの閲覧速度であり、ｋは今回のスクロールバーの数値であり、ｋｓは現在のウェブページの先頭におけるスクロールバーの数値であり、ｔは今回のスクロールバーのトリガ時刻であり、ｔｓは現在のウェブページのローディング終了時刻である。
【００３３】
一実施例において、前記スクロールバースクロールトリガモジュールが少なくとも１回トリガされる。トリガされるたびに、今回のスクロールバーのトリガ時刻と今回のスクロールバーの数値を１回記録する。前記ウェブページの閲覧速度の計算式は下記のとおりである。
【数６】
0006430020.tif 000007
式中、Ｖｒはウェブページの閲覧速度であり、ｋｉはｉ回目の今回のスクロールバーの数値であり、ｋｓは現在のウェブページの先頭におけるスクロールバーの数値であり、ｔｉはｉ回目の今回のスクロールバーのトリガ時刻であり、ｔｓは現在のウェブページのローディング終了時刻であり、ｎはスクロールバースクロールトリガモジュールの合計トリガ回数である。
【００３４】
一実施例において、前記ウェブページの残りの閲覧時間の計算式は下記のとおりである。
【数７】
0006430020.tif 000008
式中、ｔｆはウェブページの残りの閲覧時間であり、Ｖｒはウェブページの閲覧速度であり、ｋは今回のスクロールバーの数値であり、ｋｅは現在のウェブページの末尾におけるスクロールバーの数値である。
【００３５】
一実施例において、前記スクロールバーパラメータモジュールは、現在のウェブページに関する現在のウェブページのローディングにかかった時間を記録することをさらに含む。
前記予め設定された条件は、ウェブページの残りの閲覧時間が前記現在のウェブページのローディングにかかった時間以下である。
【００３６】
上記の実施例は、本発明のいくつかの実施形態を示したにすぎず、本発明を具体的かつ詳しく説明したが、本発明の請求の範囲を制限するものではない、当業者にとって、本発明の主旨を離脱しない状況において、本発明の実施例に対してさまざまな変更および改良を行うことができるが、これらの変更および改良はすべて本発明の保護範囲に含まれる。したがって、本発明の保護範囲は添付の特許請求の範囲に基づくものとする。
【図１】
0006430020.tif 000015
【図２】
0006430020.tif 000016
【図３】
0006430020.tif 000017